(57)【要約】【課題】  光ディスクへのデータの記録又は／及び光ディスクからのデータの再生を行う光ディスク記録・再生装置において、装置本体からの不要輻射を抑え、且つ、装置本体の形状や大きさに大きな制約を与えず、更に、トレイ体の前端の蓋体やフロントパネルを任意の形状に簡便に加工することを目的とする。【解決手段】  装置本体２の内側壁にシールド部材５を、開口部６を閉塞する蓋体４の内側にシールド部材８をそれぞれ配設し、且つ、光ディスクを載置するトレイ体３が装置本体２に収納の位置から解除された際には、光ディスクの記録・再生手段の機能に必要な電力の供給を停止させる押圧体１２をトレイ体３に、スイッチ１３を装置本体２の側にそれぞれ配設して構成した。【選択図】  図２
2008217927.tif 000002
【特許請求の範囲】
【請求項１】
開口部が開設され、且つ、不要輻射が発生した際に外部への漏洩を防ぐための金属板若しくはシールド部材が内側壁に配設されている装置本体と、光ディスクを載置し、前記装置本体の開口部を介して前記装置本体に対して突出と収納の位地を取り得るトレイ体と、
そのトレイ体の前部に付設され、且つ、そのトレイ体が前記装置本体に対して突出する方向に対して背部となる面にその装置本体の内部から発生する不要輻射を防ぐための金属板若しくはシールド部材が付設され、更に、そのトレイ体が前記装置本体に収納の位置を取った際には前記開口部を閉塞し得る蓋体と、前記トレイ体に載置された光ディスクにデータの記録又は／及びデータの再生を行う記録・再生手段と、が備えられ、
前記トレイ体が前記装置本体に収納された際には、前記装置本体の内側壁に配設されている金属板若しくはシールド部材と前記蓋体に付設されている金属板若しくはシールド部材が導通状態となり、且つ、前記トレイ体が前記装置本体に対して収納の位地が解除された際には、前記記録・再生手段の機能に必要な電力の供給を停止するように構成したことを特徴とする光ディスク記録・再生装置。
【請求項２】
前記記録・再生手段の機能に必要な電力の供給を停止する手段が、前記トレイ体の収納側の端部に付設された押圧体と、前記トレイ体が前記装置本体内に収納の位地を取った際には前記押圧体と係合してＯＮとなり、且つ、前記トレイ体が前記装置本体内の収納の位地が解除されると前記押圧体との係合が解除となってＯＦＦとなるスイッチを含んで構成される請求項１に記載の光ディスク記録・再生装置。
【発明の詳細な説明】
【背景技術】
【０００１】
この発明は、光ディスクにデータを記録又は／及び光ディスクからデータを再生する光ディスク記録・再生装置に関し、特に、光ディスクを載置するトレイ体が装置本体に対して突出と収納の位地をとる光ディスク記録・再生装置に関する。
更に詳しくは、光ディスク記録・再生装置の装置本体内で発生する不要輻射が前記トレイ体を収納する開口から装置本体の外部に漏れて他の電機・電子装置に悪影響を与えることの回避に関する。
【０００２】
装置本体に開口部を設け、その開口部から光ディスクを載置したトレイ体を装置本体に対して突出と収納の位置を取らせる構成の光ディスク記録・再生装置において、前記開口部を介して装置本体の内部から出る不要輻射を抑える技術として以下の公報で示された発明が知られている。
【０００３】
【特許文献１】特開２００５−１８８４９号公報
【発明の開示】
【発明が解決しようとする課題】
【０００４】
特開２００５−１８８４９号公報に開示されているＤＶＤ装置は、装置を機能させる電機・電子回路に係る基板をデジタル基板と電源基板に分割し、それら二つの基板を光ディスクのローダに対して互いに対向する位置に配設する構成になっている。
斯かる構成のＤＶＤ装置では、更に、デジタル基板の設置パターンの特定、フィルタの配設等によって、不要輻射のレベルを抑えるとという効果を得ている。
【０００５】
しかしながら、特開２００５−１８８４９号公報に開示のＤＶＤ装置は、上述したように、装置を機能させる電機・電子回路に係る基板を分割して特定位置に配設する必要があることから、基板に対する電機・電子回路の構成、装置本体の形状等に大きな制約が生じるという問題がある。
他方、装置本体内で発生する不要輻射は、光ディスクを載置するトレイ体が挿通する開口部から大きく装置本体の外部に漏れることが知られている。
【０００６】
特に、トレイ体の前端に配設されて前記開口部を閉塞する蓋体は、任意の形状に加工することが容易であることから合成樹脂で形成されることが望まれている。同様に、フロントパネルは、操作釦が配設されることから任意の形状を簡便に得るように合成樹脂で形成される場合が多い。
しかし、不要輻射は合成樹脂を容易に透過するので、蓋体やフロントパネルを合成樹脂で形成することは不要輻射を抑えるという見地から問題がある。
【０００７】
この発明は、上記の事情に鑑みて為されたものであり、装置の機能に係る電機・電子回路の基板の形状と構成、装置本体の形状等に大きな制約がなく、又、トレイ体の前端に配設される蓋体やフロントパネルを任意の形状に加工することが簡便であって、トレイ体が挿通する開口部からの不要輻射を効果的に抑えることが可能な光ディスク記録・再生装置を提供するものである。
【課題を解決するための手段】
【０００８】
この発明の発明者は、装置本体内から外部に漏れて他の電機・電子装置に問題を生じさせる不要輻射について観察を行った処、光ディスクを載置するトレイ体に装置本体に対して突出と収納の位地を取らせ得る開口部から不要輻射が大きく漏れていること、前記開口部閉塞するためにトレイ体の前端に蓋体を設けても、蓋体が合成樹脂で形成した場合には容易に不要輻射を透過させること、トレイ体の前端に配設した蓋体が前記開口部を閉塞していない状態ではより多くの不要輻射がその開口部を介して装置本体の外部に漏れていること、前記蓋体は合成樹脂で形成すると所望する形状が得やすいこと、前記トレイ体が装置本体から突出し始めて、再び収納の位置に到る間は、当該装置の機能に係る電気・電子回路は機能していない部分が多いことに気付いた。
そこで、この発明者は、前記蓋体が前記開口部を閉塞している状態と開放している状態に分けて不要輻射を抑えることを考え、発明の完成に到った。
【０００９】
つまり、この発明の構成は、開口部が開設され、且つ、不要輻射が発生した際に外部への漏洩を防ぐための金属板若しくはシールド部材が内側壁に配設されている装置本体と、光ディスクを載置し、前記装置本体の開口部を介して前記装置本体に対して突出と収納の位地を取り得るトレイ体体と、そのトレイ体の前部に付設され、且つ、そのトレイ体が前記装置本体に対して突出する方向に対して背部となる面にその装置本体の内部から発生する不要輻射を防ぐための金属板若しくはシールド部材が付設され、更に、そのトレイ体が前記装置本体に収納の位置を取った際には前記開口部を閉塞し得る蓋体と、前記トレイ体に載置された光ディスクにデータの記録又は／及びデータの再生を行う記録・再生手段と、が備えられ、前記トレイ体が前記装置本体に収納された際には、前記装置本体の内側壁に配設されている金属板若しくはシールド部材と前記蓋体に付設されている金属板若しくはシールド部材が導通状態となり、且つ、前記トレイ体が前記装置本体に対して収納の位地が解除された際には、前記記録・再生手段の機能に必要な電力の供給を停止するように構成したことを特徴とする光ディスク記録・再生装置である。
【００１０】
尚、「前記記録・再生手段の機能に必要な電力の供給を停止する」とは、前記トレイ体が前記装置本体に収納の位置を取って光ディスクにデータの記録を行う又は光ディスクからデータを再生する場合を除いて、前記記録・再生手段の機能に電力を供給する必要がなく、当然、単に、例えば前記記録・再生手段構成する記録用素子、再生用素子等への電力の供給の停止のみならず、それらの素子を出力させるためのドライバ回路等への電力の供給の停止を含むものである。
又、「前記記録・再生手段の機能に必要な電力の供給を停止する手段」とは、具体的に、前記トレイ体の収納側の端部に付設された押圧体と、前記トレイ体が前記装置本体内に収納の位地を取った際には前記押圧体と係合してＯＮとなり、且つ、前記トレイ体が前記装置本体内の収納の位地が解除されると前記押圧体との係合が解除となってＯＦＦとなるスイッチを含んで構成するものが挙げられる。
【発明の効果】
【００１１】
本発明は、装置本体の内側壁にシールド材を配設し、トレイ体が装置本体に収納の位置から解除される際には、装置に係る電気・電子回路の機能を可能な範囲で低く抑えるように構成したことから、装置の機能に係る電機・電子回路の基板の形状と構成、装置本体の形状を所望に形成することが可能であって、トレイ体の前端に配設される蓋体を簡便に任意の形状に加工することが可能であり、トレイ体が挿通する開口部からの不要輻射を効果的に抑え得る光ディスク記録・再生装置である。
【発明を実施するための最良の形態】
【００１２】
この発明を、図面に示す最良の形態に基づき説明する。しかし、この形態によって、この発明が限定されるものではない。
光ディスク記録・再生装置１は、図１及び図２に示すように、装置本体２と、トレイ体３と、蓋体４と、記録・再生手段（図示省略）と、シールド部材５が備えられている。
【００１３】
装置本体２は、ほぼ方形の箱形状であって、前部にトレイ体３に突出と収納の位置を取らせるための開口部６が開設されている。
トレイ体３は、光ディスク（図示省略）を載置するものであって、装置本体２に対して
突出の位置を取って光ディスクの載置と取り出し、装置本体２に対して収納の位置を取って光ディスクへのデータの記録又は／及び再生を可能にするものである。
【００１４】
尚、７は、装置本体２の前部を構成するフロントパネルである。つまり、開口部６はフロントパネル７に開設され、トレイ体３はフロントパネル７に対して突出の位置を取り得る構成となっている。
フロントパネル７は、合成樹脂で形成されており、装置内部に配設されている前記記録・再生手段が機能することによって不要輻射が発生した際に、その不要輻射が装置本体２の外部に漏洩することを防ぐためのシールド部材５が内側壁に配設されている。
【００１５】
尚、フロントパネル７の表側の面には、装置を操作するための操作用釦、操作用ツマミ、及び装置の機能現状を表示する液晶表示パネル（以上、図示省略）が配設されている。
他方、装置本体２は、装置内部に配設されている前記記録・再生手段が機能することによって発生する不要輻射を外部に漏洩することを防ぐための金属板が内側壁に配設されている。
【００１６】
つまり、装置本体２は金属板で形成されており、不要輻射の外部への漏洩に対して実質的に金属板が内側壁に配設された構成になっている。
ここで、フロントパネル７の側のシールド部材５は、装置本体２を形成している前記金属板と接続されている。
【００１７】
蓋体４は、トレイ体３の手前側の端部に付設され、トレイ体３が装置本体２に収納の位置を取った際に開口部６を閉塞し得るものである。
蓋体４は、装置内部に配設されている前記記録・再生手段が機能することによって発生する不要輻射を外部に漏洩することを防ぐためのシールド部材８が、トレイ体３が装置本体２に対して突出する方向に対して背部となる面つまり内側面に配設されている。
【００１８】
そうして、光ディスク記録・再生装置１は、装置本体２に対してトレイ体３が収納の位置を取った際には、フロントパネル７の内側壁に配設されているシールド部材５と蓋体４に付設されているシールド部材８が導通状態となるように構成されている。
９は、蓋体４の側のシールド部材５から伸びる金属製の接続片であり、１０は、フロントパネル７の側のシールド部材５から伸びる金属製の接続片である。
接続片９，１０は、互いに弾性的に接続する構成になっている。
【００１９】
光ディスク記録・再生装置１は、更に、トレイ体３が装置本体２に対して収納の位地が解除された際には、前記記録・再生手段の機能に必要な電力の供給を停止するように構成されている。
つまり、具体的には、トレイ体３は装置本体２と一体化されているベース１１に対して突出の方向（矢印Ａ方向）と収納の方向（矢印Ｂ方向）にスライド可能であり、トレイ体３の収納の方向の先頭端部に押圧体１２が付設され、且つ、押圧体１２に押圧係合されるとＯＦＦからＯＮに切り替わるスイッチ１３が装置本体２の側に配設されている。
【００２０】
そして、スイッチ１３は、トレイ体３が装置本体２の内部に収納の位地を取った際には押圧体１２に押圧係合されて前記記録・再生手段の機能に必要な電力の供給をＯＮとさせ、且つ、トレイ体３が装置本体２の内部に収納の位地が解除されると押圧体１２との係合が解除となって、トレイ体のスライド、表示灯等を除いた前記記録・再生手段の機能そのものに必要とする電力の供給をＯＦＦとさせるように機能するものである。
光ディスク記録・再生装置１は、上述したように構成されている。以下において、その機能を説明する。
【００２１】
使用者は、フロントパネル７の上記操作用釦を操作して、電源をＯＮにして上記液晶表示パネルから機能の現状を確認し、更に、装置本体２に対してトレイ体３が突出の位置を取るように操作を行う。
ここで、トレイ体３は装置本体２に対して矢印Ａ方向にスライドするので、押圧体１２はスイッチ１３への押圧の係合を解除することになり、光ディスク記録・再生装置１はトレイ体３をスライドさせるためのモータ（図示省略）の出力、前記表示液晶表示パネルの表示機能等以外に電力供給が行われないので、この装置に係る電気・電子回路からの不要輻射は可能な範囲で低く抑えた状態になっている。
【００２２】
従って、装置本体２に対してトレイ体３がスライドすることによって蓋体４が開口部６を閉塞した状態から開放の状態に移行し、開口部６を介して装置本体２の内部に配設されているこの装置に係る電気・電子回路からの不要輻射が装置本体２の外部に漏洩することになるが、上述したように、その不要輻射は可能な範囲で低く抑えられている分だけ他の電気・電子装置に悪影響を与えないという効果が得られている。
尚、ここで言う「不要輻射を可能な範囲で低く抑える」とは、前記モータを出力させてトレイ体３をスライドさせるには、前記モータに係るドライブ回路の出力、前記モータへの出力等は必要であるが、不要輻射を生じさせ得るその他の電気・電子回路の出力を停止させているので、最低必要な電力供給のみを行っているので、このことに対応した不要輻射の発生で済ませていることを意味する。
【００２３】
トレイ体３が装置本体２に対して突出の位置に到ると、使用者はトレイ体３に所望する記録媒体であるコンパクトディスクを載置し、再び、フロントパネル７の上記液晶表示パネルから機能の現状を確認しながら上記操作用釦、上記操作ツマミを操作して前記コンパクトディスクの再生をセットする。
ここで、光ディスク記録・再生装置１は、使用者の前記操作内容に従って、前記モータが出力してトレイ体３は装置本体２に対して矢印Ｂ方向にスライドし、結果的に、トレイ体３は装置本体２に対して収納の位置を取る。
【００２４】
この時、トレイ体３の前端に付設されている蓋体４は、装置本体２の開口部６を閉塞した状態になっている。
又、この時、トレイ体３の後端に付設されている押圧体１２は、装置本体２の側に固定されているスイッチ１３に押圧係合し、スイッチ１３がＯＮの状態になったことから光ディスク記録・再生装置１の記録・再生機能に係る電気・電子回路に電力が供給されて出力が可能な状態になっている。
【００２５】
更に、この時、蓋体４の内側壁に配設されたシールド部材８と装置本体２の内側壁に配設されたシールド部材５がそれぞれ接続片９，１０で接続した状態になっている。
つまり、蓋体４の側のシールド部材８と装置本体２の側のシールド部材５は、同じ電位となっている。
【００２６】
光ディスク記録・再生装置１は、使用者の上記操作内容に従い、トレイ体３に載置の前記コンパクトディスクを再生し、この再生の際にこの再生機能を行うための電気・電子回路から不要輻射がランダムの方向に飛び散る。
このランダムの方向に飛び散った不要輻射は、装置本体２の内側壁に当たるが装置本体２の内側壁にはシールド部材５が配設されている若しくは実質的にシールド部材である金属板で形成されていることから、シールド部材５又は前記金属板と同じ電位となって装置本体２の外部に漏洩することはない。
【００２７】
又、開口部６は蓋体４によって閉塞されているが、蓋体４の内側壁にシールド部材８が配設されているので、前記の装置本体２の内部で発生した不要輻射はシールド部材８によって蓋体４を通過して装置本体２の外部に漏洩するという事態は生じない。
従って、光ディスク記録・再生装置１は、前記コンパクトディスクを再生することに伴ってその再生機能に伴い前記電気・電子回路から不要輻射が発生かるが、装置本体２の外部に漏洩することが抑えられているので、光ディスク記録・再生装置１の近傍に配置の電気・電子装置は光ディスク記録・再生装置１からの不要輻射の影響を受けることはない。
【００２８】
光ディスク記録・再生装置１は、上述した使用ではコンパクトディスクの再生の場合について述べたが、記録媒体へのデータの記録の場合であっても同様の効果を得ることが可能になっている。
蓋体４とフロントパネル７は、合成樹脂で形成されているので、不要輻射の悪影響を外部に与えない金属製に比べて、任意の形状の成型が可能になっている。
【００２９】
光ディスク記録・再生装置１は、上述した構成によって不要輻射の影響を抑えているので、装置を機能させる電気・電子回路の構成に制約がなく、この制約がないことによって装置本体２の形状や大きさに制約が生じず、よって、装置本体２を任意の形状で形成することが可能になっている。
光ディスク記録・再生装置１は、押圧体１２とスイッチ１３の組み合わせによって装置の機能を可能にする電気・電子回路のＯＮＮ−ＯＦＦを行う構成であるが、例えばトレイ体３のスライドを行う前記モータへの電力の供給と連動することによって、回路的にＯＮＮ−ＯＦＦを行う構成であってもよい。
【図面の簡単な説明】
【００３０】
【図１】本発明に係る最良の形態の構成を説明する要部分解斜視図である。
【図２】図１に示す最良の形態を、図１のＣ−Ｃ方向で断面を取って構成を説明した構成説明図である。
【符号の説明】
【００３１】
１：          光ディスク記録・再生装置
２：          装置本体
３：          トレイ体
４：          蓋体
５，８：      シールド部材
６：          開口部
７：          フロントパネル
９，１０：    接続片
１２：        押圧体
１３：        スイッチ
【図１】
2008217927.tif 000003
【図２】
2008217927.tif 000004